(57)【要約】【課題】  激しい振動や大きな騒音を発生することなく、また作業者の経験等に左右されることなく、既設の伸縮装置を簡単に撤去することができる、環境に配慮した低騒音、低振動型の工法を提供する。【解決手段】  後打ちコンクリートの端部に設けられた伸縮装置の連接部を取り除く連接部除去工程と、前記取り除かれた連接部の位置に水平切りカッターを挿入しそして後打ちコンクリートの端部に沿って移動させることによって後打ちコンクリートの端部に水平切り目を形成する水平切込み工程と、後打ちコンクリートに形成される水平切り目の切込み先端位置に対応する位置に垂直切り目を形成する垂直切込み工程と、前記水平切込み工程および垂直切込み工程によって切り離されたブロックを取り除くブロック除去工程とを含む。前記垂直切込み工程は連接部除去工程または水平切込み工程の前または後に施工される。【選択図】  図１
2004218422.tif 000002
【特許請求の範囲】
【請求項１】
後打ちコンクリートの端部に設けられた伸縮装置の連接部の部分を取り除く連接部除去工程と、前記取り除かれた連接部の位置に水平および垂直切りカッターをそれぞれ挿入し、後打ちコンクリートの端部に沿って移動させることにより後打ちコンクリートの端部に水平および垂直切り目をそれぞれ形成する切込み工程と、前記水平切込み工程および垂直切込み工程によって切り離されたブロックを取り除くブロック除去工程とを含む、既設伸縮装置撤去工法。
【請求項２】
後打ちコンクリートの端部間の間隔が水平切りカッターの回転軸よりも大きいが回転刃よりも小さい場合、前記連接部除去工程は伸縮装置の連接部を実質的に取り除く工程と水平切りカッターの回転刃を所要の深さまで挿入するための空間を形成する工程とから構成される、請求項１に記載の既設伸縮装置撤去工法。
【請求項３】
後打ちコンクリートの端部間の間隔が水平切りカッターの回転軸よりも小さい場合、前記連接部除去工程は伸縮装置の連接部に隣接する後打ちコンクリートの表面から端面に向かって斜めに切り取ることにより少なくとも水平切りカッターの回転軸を所要の深さまで挿入できる空間を形成する工程と水平切りカッターの回転刃を所要の深さまで挿入するための空間を形成する工程とから構成される、請求項１に記載の既設伸縮装置撤去工法。
【請求項４】
前記水平切りカッターの回転刃を所要の深さまで挿入するための空間を形成する工程は、伸縮装置の連接部の部位に円柱形のコアを抜くことにより行われる、請求項２または３項に記載の既設伸縮装置撤去工法。
【請求項５】
前記水平切りカッターの回転刃を所要の深さまで挿入するための空間を形成する工程は、伸縮装置の連接部の部位に回転刃の大きさに対応した長さの垂直切り目を複数本形成し、該垂直切りされた領域を破壊して除去することにより行われる、請求項２または３項に記載の既設伸縮装置撤去工法。
【請求項６】
後打ちコンクリートの端部間の間隔が水平切りカッターの回転刃よりも小さい場合、前記連接部除去工程は伸縮装置の連接部に隣接する後打ちコンクリートの表面から端面に向かって斜めに切り取ることにより水平切りカッターの回転刃を所要の深さまで挿入するための空間を形成する工程により構成される、請求項１に記載の既設伸縮装置撤去工法。
【発明の詳細な説明】
【技術分野】
【０００１】
本発明は、橋梁等の継ぎ目に設置されている伸縮装置を取り替えるために既設の伸縮装置を撤去するための工法に関するものである。
【０００２】
本説明において、「水平」および「垂直」なる用語は、厳密な意味での水平および垂直を意味するものではなく、橋梁等の工事を行う部分の表面と平行または該表面に沿った方向および該表面に直交または交差する方向をそれぞれ指すものである。また、種々の位置或いはそれらの位置を引用する寸法関係については、厳密な意味での正確さを要求するものではなく、本発明の属する技術分野で認識される誤差を十分に含むものである。
【背景技術】
【０００３】
通常、橋梁等の継ぎ目に設置される伸縮装置は、コンクリート床版上に伸縮装置を置き、後打ちコンクリートで固定することにより設置されている（例えば、特許文献１および２参照）。このため、既設の伸縮装置を新規な伸縮装置と交換する場合、後打ちコンクリートの部分から取り除く必要がある。
【０００４】
この後打ちコンクリート部分の除去は、除去すべき部分の外周に沿って垂直切りカッターで垂直切り目を形成し、その中をハンドブレーカや油圧ブレーカ等の工具を用いて小片に破壊し、除去することにより行われていた。
【特許文献１】特開２００１−１２３４０６号公報
【特許文献２】特開２００２−１８８１０７号公報
【発明の開示】
【発明が解決しようとする課題】
【０００５】
このような従来の工法は、工事の際に激しい振動や大きな騒音を発生するため、近隣住民に対し多大な被害や迷惑等を及ぼすだけでなく、激しい振動によって残存部にヒビ割れ等を生じて破壊してしまう欠点を有するものであった。また、作業者の経験等によって作業効率が大きく異なるだけでなく、除去後の状態も異なるため、ともすれば伸縮装置の再設置のために必要な状態に仕上げるのに余分な手間隙を要するものであった。
【０００６】
従って、本発明は、工事の際に激しい振動や大きな騒音を発生することなく、また作業者の経験等に左右されることなく、既設の伸縮装置を簡単に撤去することができ、それにより、より簡便に伸縮装置を取り替えることができる、環境に配慮した低騒音、低振動型の工法を提供しようとするものである。
【課題を解決するための手段】
【０００７】
本発明による既設伸縮装置撤去工法は、後打ちコンクリートの端部に設けられた伸縮装置の連接部の部分を取り除く連接部除去工程と、前記取り除かれた連接部の位置に水平および垂直切りカッターをそれぞれ挿入し、後打ちコンクリートの端部に沿って移動させることにより後打ちコンクリートの端部に水平および垂直切り目をそれぞれ形成する切込み工程と、前記水平切込み工程および垂直切込み工程によって切り離されたブロックを取り除くブロック除去工程とから構成される。
【０００８】
カッターを使用するのに十分な作業空間を連接部の部分を取り除くことによって現出し、後打ちコンクリートの端部の除去を本質的にカッターのみによって行うことができることにより、騒音や振動の発生を最小限に抑える。
【０００９】
上述から明らかなように、後打ちコンクリートの端部間の間隔が水平切りカッターを挿入して切断作業を行うのに必要な空間を有している場合、作業空間を連接部の部分を除去することで本発明の既設伸縮装置撤去工法を無理なく施工することができるが、後打ちコンクリートの端部間の間隔が水平切りカッターの回転軸よりも大きいが回転刃よりも小さい場合、連接部除去工程は、伸縮装置の連接部を実質的に取り除く工程と、水平切りカッターの回転刃を所要の深さまで挿入するための空間を形成する工程とから構成されるか、或いは、伸縮装置の連接部に隣接する後打ちコンクリートの表面から端面に向かって斜めに切り取ることにより少なくとも水平切りカッターの回転軸を所要の深さまで挿入できる空間を形成する工程と水平切りカッターの回転刃を所要の深さまで挿入するための空間を形成する工程とから構成される。
【００１０】
水平切りカッターの回転刃を所要の深さまで挿入するための空間は、伸縮装置の連接部の部位に円柱形のコアを抜くか、或いは、伸縮装置の連接部の部位に回転刃の大きさに対応した長さの垂直切り目を複数本形成し、該垂直切りされた領域を破壊して除去することにより形成される。いずれの場合もカッターにより行われるため騒音や振動の発生を抑制する。後者の場合における垂直切り領域の破壊は、垂直切り目間の間隔、方向を適当に選定することにより、例えば、バール等のような工具によって遂行可能である。
【００１１】
一方、後打ちコンクリートの端部間の間隔が水平切りカッターの回転刃よりも小さい場合、連接部除去工程は、伸縮装置の連接部に隣接する後打ちコンクリートの表面から端面に向かって斜めに切り取ることにより水平切りカッターの回転刃を所要の深さまで挿入するための空間を形成する、１工程で行われる。
【発明の効果】
【００１２】
通常、後打ちコンクリートは伸縮装置を一定の厚さで取り巻くようにコンクリート床版上に打設されているため、所定の切断幅を有する水平切り目と垂直切り目を伸縮装置の伸延方向に沿って形成し、それによって切り離されたブロックを取り除くことは、後打ちコンクリートの部分のみを効率よくかつ正確に除去することができることになる。また、ハンドブレーカや油圧ブレーカ等を用いないため、作業の仕上りを作業者の経験等に依存する必要はなく、加えてハンドブレーカや油圧ブレーカ等による振動や騒音の発生を回避できるため、近隣住民に及ぼす被害や迷惑等を最小限に抑えることができ、夜間であっても静粛に工事を行うことができる。また、伸縮装置の連接部から実質的に等間隔で後打ちコンクリートを簡単かつ確実に除去して行くことができるため、作業効率が作業者の経験等に左右されることがなく、それにより、相対的に短時間にかつ廉価に既設伸縮装置の撤去工事を行うことができる。
【発明を実施するための最良の形態】
【００１３】
本発明の実施例による既設伸縮装置撤去工法について、以下、図面を参照して説明する。
【実施例１】
【００１４】
本発明の実施例による既設伸縮装置撤去工法は、図１に示すように、後打ちコンクリート１の端部１ａに設けられた伸縮装置の連接部２をカッター３で取り除く連接部除去工程（図１の(Ａ)参照）と、前記取り除かれた連接部２の位置に水平切りカッター４を挿入しそして後打ちコンクリート１の端部１ａに沿って移動させることにより、後打ちコンクリート１の端部１ａに水平切り目５を形成する水平切込み工程（図１の(Ｂ)参照）と、後打ちコンクリート１に形成される水平切り目５の切込み先端位置Ｐ１に対応する位置に垂直切りカッター６で垂直切り目７を形成する垂直切込み工程（図１の(Ｃ）参照）と、水平切込み工程および垂直切込み工程によって切り離されたブロック８を取り除くブロック除去工程（図１の(Ｄ)参照）とを含む。
【００１５】
連接部除去工程と水平切込み工程とブロック除去工程とは、連接部除去工程→水平切込み工程→ブロック除去工程の順序で行う必要がある。これに対し、垂直切込み工程は、必ずしも水平切込み工程の後でなければならないものでなく、工事用機器の搬入状態や工事従事者の役割分担等の状況に応じて、連接部除去工程の前またはそれと同時に、或いは、水平切込み工程の前またはそれと同時に施工することができる。一方、後打ちコンクリート１の両端部への施工順序については特に限定すべきものではなく、例えば、後打ちコンクリート１の一方の端部側における作業がすべて終了した後に他方の端部側の作業を行うのか、一つの工程が両端部に対して終了した後に次の工程に入るのか等については、種種の作業条件や作業状況に応じて適宜に選定されるべきである。
【００１６】
通常、除去すべき後打ちコンクリート１の幅は水平切りカッター４の刃の半径よりも大きく、そのため、１回の水平切込み工程および垂直切込み工程で所要の後打ちコンクリートを除去してしまうことできない。このような場合、図２に示すように、ブロック８を取り除いた後打ちコンクリート１の端部１ｂに追加の水平切り目５ａを形成する追加の水平切込み工程（図２の(Ａ)参照）と、ブロック８を取り除いた後打ちコンクリート１の端部１ｂに形成される追加の水平切り目５ａの切込み先端位置Ｐ２に対応する位置に追加の垂直切り目７ａ（図示の場合、連接部の左方部分に２本の追加の垂直切り目が予め形成されている。）を形成する追加の垂直切込み工程（図２の(Ｂ)参照）を更に含むことになる。
【００１７】
この追加の垂直切込み工程は、前述した垂直切込み工程の実施時期についての説明で述べたと同じ理由により、追加の水平切込み工程の前であってもよい。より好ましくは、最初の垂直切込み工程のときに追加の垂直切込み工程をも施工することにより、作業時間の短縮を図ることができる。
【実施例２】
【００１８】
図３は、本発明の別の実施例による既設伸縮装置撤去工法を示す図で、特に水平切りカッター４の大きさが伸縮装置の連接部２の大きさよりも大きい場合に好適な工法である。
【００１９】
本実施例における既設伸縮装置撤去工法は、伸縮装置の連接部１の部位にコア抜きドリル９により円柱形の穴１０を抜き取るコア抜き工程（図３の(Ａ)参照）が追加されことと、最初の水平切込み工程（図３の(Ｃ)参照）が、水平切りカッター４をコア抜きされた穴１０に挿入し、後打ちコンクリート１の端部１ａに沿って移動させることにより、後打ちコンクリート１の端部に水平切り目５を形成するように行われることを除き、実質的に前記実施例と同様に行われる。
【００２０】
このコア抜き工程は、図示の場合、連接部除去工程（図３の(Ｂ)参照）の前に施工するように示されているが、水平切込み工程の前であれば対応でき、連接部除去工程の後に施工してもよい。また、コア抜きされる穴１０の深さについては、水平切り目を形成すべき位置に水平切りカッター４の刃が位置して切削を行うことができる深さまで掘削されることは容易に理解されよう。一方、垂直切込み工程（図３の(Ｄ)参照）は、図示の場合、水平切込み工程の後に施工するように示されているが、前記実施例で述べたと同様な理由により、コア抜き工程の前または後、連接部除去工程の前または後、或いは、水平切込み工程の前に施工してもよいことは容易に理解されよう。更に、図示されていないが、１回の除去作業で完遂できない場合に必要となる追加の垂直切込み工程についても、前記実施例で述べたと同様に、最初の垂直切込み工程のときに追加の垂直切込み工程をも施工することで作業時間の短縮を図ることができる。
【００２１】
ところで、この実施例における最初の水平切込み工程は、必ずしも水平切りカッター４の刃によって切り込み得る深さ一杯の水平切り目５を形成する必要はなく、水平切りカッター４を単に後打ちコンクリート１の端部１ａに沿って移動させることで形成される水平切り目５（これにより、相対的に小さな切込みとなる。）であってもよい。
【００２２】
一方、コア抜き工程は、それにより形成される穴１０が水平切りカッター４の刃を所定の位置で作業させることができることを目的とするものであるため、その他の適当な手段を用いてその他の適当な形状にも形成し得る。例えば、垂直切りカッターを用いて穴１０に相当する範囲に複数の垂直切り目を形成し、切り目にバール等のような工具を挿入して捏ねることによっても形成し得る。この場合、小さなブロック状に分かれるように垂直切り目を相互に交差させて形成することにより、より容易に穴あけを行うことができる。
【実施例３】
【００２３】
図４は、本発明のまた別の実施例による既設伸縮装置撤去工法を示す図で、前記実施例で説明した追加の水平切り目を形成する方法が異なる点を除き、実質的に同様に行われる。
【００２４】
本実施例における追加の水平切込み工程は、初回のブロック除去工程が行われた後、水平切りカッター４の刃４ａを追加の水平切り目５ａの切込み先端位置Ｐ２まで到達できる刃４ｂに交換して行うものである。このことは、水平切りカッター４が本質的に同一位置で後打ちコンクリート１の端部に沿った移動を行うことより、いずれの水平切込み工程をも遂行できることを意味するだけでなく、各水平切込み工程により形成される各水平切り目の面間を連続した平坦な面に仕上げることができることを意味している。
【実施例４】
【００２５】
図５は、本発明のさらに別の実施例による既設伸縮装置撤去工法を説明するための図で、連接部除去工程が異なる点を除き、実質的に同様に行われる。図中、垂直切り目７および７ａが既に形成された状態で示されているが、前述したように、連接部除去工程の後、或いは水平切込み工程の前または後であってもよいことは容易に理解されよう。
【００２６】
本実施例における特色である連接部除去工程は、伸縮装置の連接部２に隣接する後打ちコンクリート１の表面から端面に向かって斜めに切り取ることにより、連接部２の除去を行う。後打ちコンクリート１の端部を斜めに切り取る工程は、刃を適当な角度に傾けた斜め切りカッター１１を用いるか、または垂直切りカッター６を適当に傾斜させて使用することにより行われる。ここにおいて、後打ちコンクリート１の端部１ａ、１ｂ間の間隔が水平切りカッター４の回転軸４ｃよりも大きいが刃よりも小さい場合、斜めに切り取った後の空間は水平切りカッター４の刃が所定の深さまで到達して水平切り目を形成できるように形成される。後打ちコンクリート１の端部１ａ、１ｂ間の間隔が水平切りカッター４の回転軸４ｃよりも小さい場合、斜めに切り取った後の空間は、最終的に水平切りカッター４の刃が所定の深さ位置で水平切り目を形成する位置に配置できるように、回転軸４ｃが所定の深さまで到達するよう形成されると共に、前記実施例で述べたように、水平切りカッター４の刃を挿入するための穴（１０）が形成される。また、カッターで斜め切りすることにより形成される斜め切り目は、後打ちコンクリート１の表面から端面へと完全に形成される必要は必ずしもなく、図示のように、後打ちコンクリート１の端面近くまで切り込んだ後にバール等の工具を用いて切り離すことで十分に対応できる。
【産業上の利用可能性】
【００２７】
本発明は、上述したように、橋梁等の継ぎ目に設置された伸縮装置の取替え工事を主目的とするものであるが、適宜に変更することにより、例えば、開渠、ケーブル埋設溝、側溝等のように、盤面に対して凹んだ構造物を形成する場合にも利用できる。
【図面の簡単な説明】
【００２８】
【図１】本発明の実施例による既設伸縮装置撤去工法を説明するための図である。
【図２】追加の水平および垂直切込み工程を説明するための図である。
【図３】本発明の別の実施例による既設伸縮装置撤去工法を説明するための図である。
【図４】本発明のまた別の実施例による既設伸縮装置撤去工法における追加の水平切込み工程を説明するための図である。
【図５】本発明のさらに別の実施例による既設伸縮装置撤去工法における連接部除去工程を説明するための図である。
【符号の説明】
【００２９】
１    後打ちコンクリート（舗装部）
１ａ  （後打ちコンクリートの）端部
１ｂ  （ブロックを取り除かれた後の後打ちコンクリートの）端部
２    （伸縮装置の）連接部
３    カッター
４    水平切りカッター
４ａ、４ｂ    （水平切りカッターの）刃
４ｃ    （水平切りカッターの）回転軸
５    水平切り目
５ａ  追加の水平切り目
６    垂直切りカッター
７    垂直切り目
７ａ  追加の垂直切り目
８    （切り離された）ブロック
９    コア抜きドリル
１０    （コア抜きされた）穴
１１    斜め切りカッター
Ｐ１    （水平切り目の）切込み先端位置
Ｐ２    （追加の水平切り目の）切込み先端位置
【図１】
2004218422.tif 000003
【図２】
2004218422.tif 000004
【図３】
2004218422.tif 000005
【図４】
2004218422.tif 000006
【図５】
2004218422.tif 000007